(57)【要約】      （修正有）【課題】ブラシ束で肌面にダメージを与えることを防止でき、しかも泡立器から分離できて使い勝手が良い電動式の洗浄ブラシを提供する。【解決手段】ブラシ体２０と、ブラシ体２０を駆動するブラシ駆動構造とを備える。ブラシ体２０は、上下に伸びる一群のブラシ毛からなるブラシ束６１と、ブラシ束６１の下端部を固定保持する筒状の保持リング７５とを含む。保持リング７５の内周面の水平方向の最大横幅をＤ０とし、ブラシ束６１の保持リング７５からの突出寸法をＨ０とするとき、保持リング７５の最大横幅Ｄ０とブラシ束６１の突出寸法Ｈ０とが、不等式（Ｄ０／２＜Ｈ０）を満足するように設定する。この洗浄ブラシは、泡立容器に対して撹拌体が着脱可能に装着された泡立器において、撹拌体を兼ねることができる。【選択図】図１
2015208485.tif 000002
【特許請求の範囲】
【請求項１】
ブラシ体（２０）と、ブラシ体（２０）を駆動するブラシ駆動構造とを備える電動式の洗浄ブラシであって、
ブラシ体（２０）が、上下に伸びる一群のブラシ毛からなるブラシ束（６１）と、ブラシ束（６１）の下端部を固定保持する筒状の保持リング（７５）とを含み、
保持リング（７５）の内周面の水平方向の最大横幅を（Ｄ０）とし、ブラシ束（６１）の保持リング（７５）からの突出寸法を（Ｈ０）とするとき、
保持リング（７５）の最大横幅（Ｄ０）とブラシ束（６１）の突出寸法（Ｈ０）とが、不等式（Ｄ０／２＜Ｈ０）を満足するように設定してあることを特徴とする洗浄ブラシ。
【請求項２】
保持リング（７５）の最大横幅（Ｄ０）とブラシ束（６１）の突出寸法（Ｈ０）とが、不等式（Ｄ０＜Ｈ０）を満足するように設定してある請求項１に記載の洗浄ブラシ。
【請求項３】
ブラシ束（６１）が、保持リング（７５）の側からブラシ束（６１）の先端面へ向かって上広がり状に形成してある請求項１または２に記載の洗浄ブラシ。
【請求項４】
ブラシ束（６１）の先端面の中央に凹部（７８）が形成してある請求項１から３のいずれかひとつに記載の洗浄ブラシ。
【請求項５】
ブラシ束（６１）が、棒状のブラシ軸部（７６）と、ブラシ軸部（７６）の先端に形成される外突湾曲状のブラシ先端部（７７）と、ブラシ先端部（７７）に凹み形成されて、発泡要素を保持する保持凹部（７８）とを備えている請求項１から４のいずれかひとつに記載の洗浄ブラシ。
【請求項６】
ブラシ体（２０）と、グリップを兼ねてブラシ体（２０）を支持する本体ケース（２１）と、本体ケース（２１）に設けられてブラシ体（２０）を駆動するブラシ駆動構造とを備える電動式の洗浄ブラシであって、
ブラシ体（２０）が、上下に伸びる一群のブラシ毛からなるブラシ束（６１）と、ブラシ束（６１）の下端部を支持するブラシベース（６０）とを含み、
ブラシベース（６０）の横幅を（Ｄ）とし、ブラシ束（６１）のブラシベース（６０）からの突出寸法を（Ｈ）とするとき、
ブラシベース（６０）の横幅（Ｄ）とブラシ束（６１）の突出寸法（Ｈ）とが、不等式（Ｄ／２＜Ｈ）を満足するように設定してあることを特徴とする洗浄ブラシ。
【請求項７】
ブラシベース（６０）の横幅（Ｄ）とブラシ束（６１）の突出寸法（Ｈ）とが、不等式（Ｄ＜Ｈ）を満足するように設定してある請求項６に記載の洗浄ブラシ。
【請求項８】
ブラシベース（６０）の上下高さ寸法を（Ｈ４）とするとき、
ブラシベース（６０）の上下高さ寸法（Ｈ４）および横幅（Ｄ）と、ブラシ束（６１）の突出寸法（Ｈ）とが、不等式（Ｈ４＜Ｄ＜Ｈ）を満足するように設定してある請求項７に記載の洗浄ブラシ。
【請求項９】
本体ケース（２１）の上下高さ寸法を（Ｈ５）とするとき、
ブラシベース（６０）の上下高さ寸法（Ｈ４）および横幅（Ｄ）と、ブラシ束（６１）の突出寸法（Ｈ）と、本体ケース（２１）の上下高さ寸法（Ｈ５）とが、不等式（Ｈ４＜Ｄ＜Ｈ＜Ｈ５）を満足するように設定してある請求項８に記載の洗浄ブラシ。
【請求項１０】
ブラシ体（２０）が本体ケース（２１）に対して着脱可能に連結されている請求項６から９のいずれかひとつに記載の洗浄ブラシ。
【請求項１１】
ブラシ体（２０）が、保持リング（７５）の外周面に固定されるブラシベース（６０）を備えており、
ブラシベース（６０）の横幅を（Ｄ）とし、ブラシ束（６１）のブラシベース（６０）からの突出寸法を（Ｈ）とするとき、
ブラシベース（６０）の横幅（Ｄ）とブラシ束（６１）の突出寸法（Ｈ）とが、不等式（Ｄ／２＜Ｈ）を満足するように設定してある請求項１から１０のいずれかひとつに記載の洗浄ブラシ。
【請求項１２】
ブラシベース（６０）の横幅（Ｄ）とブラシ束（６１）の突出寸法（Ｈ）とが、不等式（Ｄ＜Ｈ）を満足するように設定してある請求項１１に記載の洗浄ブラシ。
【請求項１３】
ブラシ駆動構造が、上下方向に直交する水平方向の振動を発生するバイブレーター（５１）を含み、
バイブレーター（５１）は、ブラシ体（２０）、または、ブラシ体（２０）を支持する本体ケース（２１）に設けられて、ブラシ束（６１）に水平方向の振動を付与する請求項１から１２のいずれかひとつに記載の洗浄ブラシ。
【請求項１４】
泡生成部（４）を備えた泡立容器（１）と、発泡要素を撹拌して泡を生成する撹拌体（２）と、撹拌体（２）を撹拌姿勢で支持するホルダー（３）とを備えており、
撹拌体（２）は、回転することにより発泡要素を撹拌するブラシ体（２０）と、グリップを兼ねてブラシ体（２０）を支持する本体ケース（２１）と、本体ケース（２１）に設けられてブラシ体（２０）を駆動するブラシ駆動構造とを含み、
撹拌体（２）が泡立容器（１）に対して着脱可能に装着してあり、
請求項１から１３のいずれかひとつに記載の洗浄ブラシ（２）が撹拌体を兼ねている泡立器。
【請求項１５】
泡立容器（１）が、上向きに開口する泡生成部（４）と、泡生成部（４）を支持するスタンド（５）とを備えており、
泡生成部（４）の周囲壁の上部に連続して、洗浄ブラシ（２）を支持する樋体状のホルダー（３）が形成されており、
泡生成部（４）の内部空間とホルダー（３）の内部空間とが、泡生成部（４）の上開口面より下方で連通させてある請求項１４に記載の泡立器。
【請求項１６】
洗浄ブラシ（２）のブラシ体（２０）が、本体ケース（２１）に対して着脱可能に連結されており、
本体ケース（２１）から分離したブラシ体（２０）を、ホルダー（３）の下面に設けたブラシ支持具（１０）に装着し保管できる請求項１４または１５に記載の泡立器。
【請求項１７】
ブラシ体（２０）のブラシベース（６０）に、ホルダー（３）のブラシ支持具（１０）に着脱される装着構造（９３）が設けられており、
ブラシベース（６０）の装着構造（９３）をホルダー（３）のブラシ支持具（１０）に装着した状態において、ブラシ束（６１）が下向きになる状態で、ブラシ体（２０）がブラシ支持具（１０）で吊下げ支持されている請求項１６に記載の泡立器。
【請求項１８】
ブラシ体（２０）のブラシベース（６０）に、化粧カバー（８０）を着脱自在に支持するための装着構造（９３）が設けられており、
化粧カバー（８０）を前記装着構造（９３）を介してブラシベース（６０）に装着した状態において、化粧カバー（８０）が装着構造（９３）の外面を覆っている請求項１７に記載の泡立器。
【請求項１９】
ブラシ体（２０）のブラシベース（６０）に、ブラシ駆動構造の駆動軸（３９）に着脱可能に連結される継手体（６４）が設けられており、
化粧カバー（８０）が、装着構造（９３）を兼ねる継手体（６４）に着脱可能に装着してある請求項１８に記載の泡立器。
【請求項２０】
化粧カバー（８０）の周縁に、ブラシベース（６０）と化粧カバー（８０）の接合面の外方へ突出する指掛片（８３）が突設してある請求項１８または１９に記載の泡立器。
【請求項２１】
スタンド（５）に、ブラシベース（６０）から分離した化粧カバー（８０）を収納保管するカバー収納部（１８）が設けてある請求項１８から２０のいずれかひとつに記載の泡立器。
【請求項２２】
ホルダー（３）のブラシ支持具（１０）に吊下げ支持したブラシ体（２０）の下方に、ブラシ体（２０）から落下する水滴を受止めるブラシ水受（１０１）が設けてある請求項１７から２１のいずれかひとつに記載の泡立器。
【請求項２３】
ホルダー（３）のブラシ支持具（１０）と上下に対向するスタンド（５）にブラシ水受（１０１）が一体に凹み形成してある請求項２２に記載の泡立器。
【請求項２４】
ホルダー（３）のブラシ支持具（１０）と上下に対向するスタンド（５）にカバー収納部（１８）が設けられており、
化粧カバー（８０）は、その開口面が上向きになる状態でカバー収納部（１８）に収容されており、
カバー収納部（１８）に収容した化粧カバー（８０）がブラシ水受（１０１）を兼ねている請求項２２に記載の泡立器。
【請求項２５】
発泡要素と適量の発泡液とを洗浄ブラシ（２）で撹拌して、泡生成部（４）の内部に泡塊を生成する泡立器であって、
化粧カバー（８０）が、適量の発泡液を計量する計量容器（８５）を兼ねている請求項１８から２４のいずれかひとつに記載の泡立器。
【請求項２６】
ブラシ駆動構造が、モーター（２８）と、モーター（２８）の回転動力をブラシ体（２０）に伝動する伝動構造と、ブラシ体（２０）を回転中心軸（Ｐ）と直交する向きへ振動させる起振構造とを備えており、
本体ケース（２１）をホルダー（３）に装着した状態において、ブラシ体（２０）をブラシ駆動構造で回転駆動して発泡要素を発泡させることができ、
本体ケース（２１）をホルダー（３）から取外すことにより、泡生成部（４）内の泡塊をブラシ束（６１）ですくい取って肌面に塗付することができ、
起振構造を作動させてブラシ束（６１）を振動させた状態で、ブラシ束（６１）の周側面を肌面にあてがって肌洗浄を行うことができる請求項１４から２５のいずれかひとつに記載の泡立器。
【請求項２７】
本体ケース（２１）に、ブラシ駆動構造のモーター（２８）への通電状態を切換えるスイッチ（２６）が設けられており、
洗浄ブラシ（２）の運転モードは、ブラシ体（２０）をモーター（２８）で回転駆動する泡立モードと、ブラシ体（２０）を起振構造で振動させる肌洗浄モードとを備えており、
前記スイッチ（２６）をオン操作すると、洗浄ブラシ（２）の運転モードが泡立モードになってブラシ体（２０）をモーター（２８）で一定時間だけ回転駆動でき、
泡立モードが終了したのち、洗浄ブラシ（２）の運転モードが肌洗浄モードに自動的に切換って、ブラシ体（２０）を起振構造で一定時間だけ振動できる請求項２６に記載の泡立器。
【請求項２８】
ブラシ体（２０）の下部に把持部（７９）が設けられ、把持部（７９）の上縁からブラシ束（６１）が上向きに突出しており、
把持部（７９）の横幅を（Ｄ３）とし、把持部（７９）の上下高さ寸法を（Ｈ３）とするとき、
把持部（７９）の横幅（Ｄ３）と上下高さ寸法（Ｈ３）とが、不等式（Ｄ３＞Ｈ３）を満足するように設定してある請求項１４から２７のいずれかひとつに記載の泡立器。
【請求項２９】
把持部（７９）が、保持リング（７５）が固定されるブラシベース（６０）と、ブラシベース（６０）に着脱可能に装着される計量容器（８５）とを含んで構成されている請求項２８に記載の泡立器。
【請求項３０】
把持部（７９）の外面に指掛片（８３）が突設してある請求項２８または２９に記載の泡立器。
【請求項３１】
指掛片（８３）が計量容器（８５）に突設してある請求項３０に記載の泡立器。
【請求項３２】
指掛片（８３）に吊掛穴（８４）が形成してある請求項３０または３１に記載の泡立器。
【発明の詳細な説明】
【技術分野】
【０００１】
本発明は、顔肌などの肌面を洗浄するための電動式の洗浄ブラシと、この洗浄ブラシが撹拌体を兼ねる泡立器に関する。泡立器は、洗顔用などの洗浄剤、または、洗浄剤と水または湯などの発泡液との混合物（本発明において発泡要素と言う。）をムース状に発泡させる。
【背景技術】
【０００２】
電動式の洗浄ブラシは、例えば特許文献１に公知である。そこでは、モーターで回転駆動されるブラシ板の正面に、一群のブラシ毛からなるブラシ束を固着して、洗浄ブラシを構成している。洗浄ブラシは装置本体に対して回転自在に組付けられており、また装置本体には、石鹸液と空気から石鹸泡を発生させる泡立器（泡発生器）が設けられている。泡立器はブラシ板の背面側に位置しており、ブラシ板には石鹸泡の通路となる孔が形成されている。モーターと泡立器を駆動すると、洗浄ブラシが回転すると共に、石鹸泡がブラシ板の孔を介してブラシ束に供給される。石鹸泡を含んで回転するブラシ束を肌面にあてがうことにより、肌面を洗浄することができる。洗浄ブラシのブラシ束は、ブラシ板の板面（正面）に対して直交する方向へ突出しており、その突出寸法はブラシ板の板面（正面）の幅（直径）寸法の半分以下になっている。
【０００３】
また、洗面台や風呂場において使用する電動式の泡発生装置が公知である（特許文献２）。そこでは、すりばち状の受け皿を備えた容器と、受け皿の中央底部に配置される回転ブラシと、回転ブラシを回転駆動するモーターと、回転ブラシの周囲を覆うメッシュカバーなどで泡立器を構成している。使用時には、受け皿の底部の液溜りに液体石鹸（発泡要素）を入れ、モーターを起動して回転ブラシを垂直軸周りに回転駆動することにより、液体石鹸を撹拌して空気を混入し発泡させて、クリーム状の石鹸泡を生成できる。また、回転ブラシの周囲がメッシュカバーで覆われているので、泡立時に泡や液体石鹸が回転ブラシで周囲に飛散するのを防止できる。
【先行技術文献】
【特許文献】
【０００４】
【特許文献１】実願昭６２−１６６１７６号（実開平０１−７１５２１号）のマイクロフィルム
【特許文献２】特開平０６−２２８８０号公報（段落番号０００６、図１）
【発明の概要】
【発明が解決しようとする課題】
【０００５】
特許文献１の洗浄ブラシにおいては、ブラシ束のブラシ板からの突出寸法が、ブラシ板の幅（直径）寸法の半分以下になっている。そのため、ブラシ束の腰が比較的強く、ブラシ束を肌面にあてがったときに、肌面がダメージを受けるおそれがある。すなわち、腰が強いブラシ束の毛先を肌面にあてがって、洗浄ブラシを回転駆動すると、肌面がブラシ束の毛先で擦られて赤くなり、あるいはひりひりするなどのダメージを受けやすい。また、特許文献１の洗浄ブラシは、泡立器と共に装置本体に組付けられているため、洗浄ブラシだけを単独で使用することができず、使い勝手が悪い。
【０００６】
特許文献２の泡発生装置によれば、クリーム状の石鹸泡を自動的に生成できる。しかし、生成された石鹸泡を顔肌や髪に塗付する際には、受け皿内の石鹸泡を手やブラシで繰返しすくい取って、顔肌や髪に塗付ける必要があり、泡立後の塗付作業に多くの手間が掛かる。
【０００７】
本発明の目的は、ブラシ束で肌面にダメージを与えることを防止でき、しかも泡立器から分離できて使い勝手が良い電動式の洗浄ブラシを提供することにある。
本発明の目的は、発泡要素を効果的に発泡させてムース状の泡塊を効率よく生成でき、しかも泡立後の塗付作業を簡便に、しかも速やかに行うことができる泡立器を提供することにある。
【課題を解決するための手段】
【０００８】
本発明に係る電動式の洗浄ブラシは、ブラシ体２０と、ブラシ体２０を駆動するブラシ駆動構造とを備える。図１に示すようにブラシ体２０は、上下に伸びる一群のブラシ毛からなるブラシ束６１と、ブラシ束６１の下端部を固定保持する筒状の保持リング７５とを含む。保持リング７５の内周面の水平方向の最大横幅をＤ０とし、ブラシ束６１の保持リング７５からの突出寸法をＨ０とするとき、保持リング７５の最大横幅Ｄ０とブラシ束６１の突出寸法Ｈ０とが、不等式（Ｄ０／２＜Ｈ０）を満足するように設定してあることを特徴とする。
【０００９】
本発明においてブラシ束６１は、断面円形状、断面楕円形状、断面多角形状などに形成することができ、保持リング７５は、ブラシ束６１の形状に合わせて、円筒状、楕円筒状、多角筒状などに形成することができる。円筒状の保持リング７５における最大横幅Ｄ０は、同リング７５の内周面の径寸法に一致する（図１参照）。楕円筒状の保持リング７５における最大横幅Ｄ０は、同リング７５の内周面で規定される楕円の長軸の長さに一致する（図１７参照）。正四角筒状の保持リング７５における最大横幅Ｄ０は、同リング７５の内周面で規定される正方形の対角線の長さに一致する（図１８参照）。
【００１０】
保持リング７５の最大横幅Ｄ０とブラシ束６１の突出寸法Ｈ０とが、不等式（Ｄ０＜Ｈ０）を満足するように設定する。
【００１１】
ブラシ束６１を、保持リング７５の側からブラシ束６１の先端面へ向かって上広がり状に形成する。
【００１２】
ブラシ束６１の先端面の中央に凹部７８を形成する。
【００１３】
ブラシ束６１は、棒状のブラシ軸部７６と、ブラシ軸部７６の先端に形成される外突湾曲状のブラシ先端部７７と、ブラシ先端部７７に凹み形成されて、発泡要素を保持する保持凹部７８とを備えている。
【００１４】
別の本発明に係る電動式の洗浄ブラシは、ブラシ体２０と、グリップを兼ねてブラシ体２０を支持する本体ケース２１と、本体ケース２１に設けられてブラシ体２０を駆動するブラシ駆動構造とを備える。図７に示すようにブラシ体２０は、上下に伸びる一群のブラシ毛からなるブラシ束６１と、ブラシ束６１の下端部を支持するブラシベース６０とを含む。ブラシベース６０の横幅をＤとし、ブラシ束６１のブラシベース６０からの突出寸法をＨとするとき、ブラシベース６０の横幅Ｄとブラシ束６１の突出寸法Ｈとが、不等式（Ｄ／２＜Ｈ）を満足するように設定してあることを特徴とする。
【００１５】
ブラシベース６０の横幅Ｄとブラシ束６１の突出寸法Ｈとを、不等式（Ｄ＜Ｈ）を満足するように設定する。
【００１６】
図４に示すように、ブラシベース６０の上下高さ寸法をＨ４とするとき、ブラシベース６０の上下高さ寸法Ｈ４および横幅Ｄと、ブラシ束６１の突出寸法Ｈとを、不等式（Ｈ４＜Ｄ＜Ｈ）を満足するように設定する。
【００１７】
本体ケース２１の上下高さ寸法をＨ５とするとき、ブラシベース６０の上下高さ寸法Ｈ４および横幅Ｄと、ブラシ束６１の突出寸法Ｈと、本体ケース２１の上下高さ寸法Ｈ５とを、不等式（Ｈ４＜Ｄ＜Ｈ＜Ｈ５）を満足するように設定する。
【００１８】
ブラシ体２０を本体ケース２１に対して着脱可能に連結する。
【００１９】
図７に示すようにブラシ体２０は、保持リング７５の外周面に固定されるブラシベース６０を備えている。ブラシベース６０の横幅をＤとし、ブラシ束６１のブラシベース６０からの突出寸法をＨとするとき、ブラシベース６０の横幅Ｄとブラシ束６１の突出寸法Ｈとを、不等式（Ｄ／２＜Ｈ）を満足するように設定する。
【００２０】
ブラシベース６０の横幅Ｄとブラシ束６１の突出寸法Ｈとを、不等式（Ｄ＜Ｈ）を満足するように設定する。
【００２１】
ブラシ駆動構造は、上下方向に直交する水平方向の振動を発生するバイブレーター５１を含む。バイブレーター５１は、ブラシ体２０、または、ブラシ体２０を支持する本体ケース２１に設けられて、ブラシ束６１に水平方向の振動を付与する。
【００２２】
本発明に係る泡立器は、図２に示すように、泡生成部４を備えた泡立容器１と、発泡要素を撹拌して泡を生成する撹拌体２と、撹拌体２を撹拌姿勢で支持するホルダー３とを備えている。撹拌体２は、回転することにより発泡要素を撹拌するブラシ体２０と、グリップを兼ねてブラシ体２０を支持する本体ケース２１と、本体ケース２１に設けられてブラシ体２０を駆動するブラシ駆動構造とを含み、撹拌体２が泡立容器１に対して着脱可能に装着されている。上記洗浄ブラシ２が撹拌体を兼ねている。
【００２３】
泡立容器１は、上向きに開口する泡生成部４と、泡生成部４を支持するスタンド５とを備えている。泡生成部４の周囲壁の上部に連続して、洗浄ブラシ２を支持する樋体状のホルダー３を形成する。泡生成部４の内部空間とホルダー３の内部空間とは、泡生成部４の上開口面より下方で連通させる。
【００２４】
洗浄ブラシ２のブラシ体２０は、本体ケース２１に対して着脱可能に連結する。図１４に示すように、本体ケース２１から分離したブラシ体２０を、ホルダー３の下面に設けたブラシ支持具１０に装着して保管する。
【００２５】
ブラシ体２０のブラシベース６０に、ホルダー３のブラシ支持具１０に着脱される装着構造９３を設ける。ブラシベース６０の装着構造９３をホルダー３のブラシ支持具１０に装着した状態において、ブラシ束６１が下向きになる状態で、ブラシ体２０をブラシ支持具１０で吊下げ支持する。
【００２６】
図７に示すように、ブラシ体２０のブラシベース６０に、化粧カバー８０を着脱自在に支持するための装着構造９３を設ける。化粧カバー８０を、装着構造９３を介してブラシベース６０に装着した状態において、化粧カバー８０で装着構造９３の外面を覆う。
【００２７】
ブラシ体２０のブラシベース６０に、ブラシ駆動構造の駆動軸３９に着脱可能に連結される継手体６４を設ける。化粧カバー８０は、装着構造９３を兼ねる継手体６４に着脱可能に装着する。
【００２８】
化粧カバー８０の周縁に、ブラシベース６０と化粧カバー８０の接合面の外方へ突出する指掛片８３を突設する。
【００２９】
図２に示すようにスタンド５に、ブラシベース６０から分離した化粧カバー８０を収納保管するカバー収納部１８を設ける。
【００３０】
ホルダー３のブラシ支持具１０に吊下げ支持したブラシ体２０の下方に、ブラシ体２０から落下する水滴を受止めるブラシ水受１０１を設ける。
【００３１】
図２０に示すように、ホルダー３のブラシ支持具１０と上下に対向するスタンド５にブラシ水受１０１を一体に凹み形成する。
【００３２】
図１４に示すように、ホルダー３のブラシ支持具１０と上下に対向するスタンド５にカバー収納部１８を設ける。化粧カバー８０は、その開口面が上向きになる状態でカバー収納部１８に収容する。カバー収納部１８に収容した化粧カバー８０がブラシ水受１０１を兼ねるようにする。
【００３３】
発泡要素と適量の発泡液とを洗浄ブラシ２で撹拌して、泡生成部４の内部に泡塊を生成する泡立器において、化粧カバー８０が、適量の発泡液を計量する計量容器８５を兼ねるようにする。
【００３４】
図６に示すように、ブラシ駆動構造は、モーター２８と、モーター２８の回転動力をブラシ体２０に伝動する伝動構造と、ブラシ体２０を回転中心軸Ｐと直交する向きへ振動させる起振構造とを備えている。起泡時には、本体ケース２１をホルダー３に装着した状態において、ブラシ体２０をブラシ駆動構造で回転駆動して発泡要素を発泡させる。本体ケース２１をホルダー３から取外すことにより、泡生成部４内の泡塊をブラシ束６１ですくい取って肌面に塗付する。肌洗浄時には、起振構造を作動させてブラシ束６１を振動させた状態で、ブラシ束６１の周側面を肌面にあてがって肌洗浄を行う。
【００３５】
本体ケース２１に、ブラシ駆動構造のモーター２８への通電状態を切換えるスイッチ２６を設ける。洗浄ブラシ２の運転モードは、ブラシ体２０をモーター２８で回転駆動する泡立モードと、ブラシ体２０を起振構造で振動させる肌洗浄モードとを備えている。スイッチ２６をオン操作すると、洗浄ブラシ２の運転モードが泡立モードになってブラシ体２０をモーター２８で一定時間だけ回転駆動できる。泡立モードが終了したのち、洗浄ブラシ２の運転モードが肌洗浄モードに自動的に切換って、ブラシ体２０を起振構造で一定時間だけ振動できるようにする。
【００３６】
図７に示すように、ブラシ体２０の下部に把持部７９を設ける。把持部７９の上縁からブラシ束６１が上向きに突出する。把持部７９の横幅をＤ３とし、把持部７９の上下高さ寸法をＨ３とするとき、把持部７９の横幅Ｄ３と上下高さ寸法Ｈ３とを、不等式（Ｄ３＞Ｈ３）を満足するように設定する。
【００３７】
把持部７９は、保持リング７５が固定されるブラシベース６０と、ブラシベース６０に着脱可能に装着される計量容器８５とを含んで構成する。
【００３８】
把持部７９の外面に指掛片８３を突設する。
【００３９】
指掛片８３を計量容器８５に突設する。
【００４０】
指掛片８３に吊掛穴８４を形成する。
【発明の効果】
【００４１】
洗浄ブラシに係る本発明においては、ブラシ体２０を構成するブラシ束６１の下端部を筒状の保持リング７５で固定保持し、保持リング７５の最大横幅Ｄ０とブラシ束６１の突出寸法Ｈ０とが、不等式（Ｄ０／２＜Ｈ０）を満足するように設定した。これによれば、肌面をブラシ束６１で洗浄するときのブラシ束６１の腰の強さを弱くできるので、ブラシ束６１の肌面に対する接触感をソフトで滑らかにすることができる。さらに、上下に長いブラシ束６１に洗浄剤の泡を多く含ませて、ブラシ束６１と肌面の接触を滑らかなものとして、洗浄時に肌面がダメージを受けるのを防止できる（請求項１）。
【００４２】
保持リング７５の最大横幅Ｄ０とブラシ束６１の突出寸法Ｈ０とが、不等式（Ｄ０＜Ｈ０）を満足するように設定すると、ブラシ束６１の保持リング７５からの突出寸法Ｈ０をさらに大きくすることができる。これにより、ブラシ束６１の肌面に対する接触感をさらにソフトで滑らかなものとすることができ、上下に長いブラシ束６１にさらに多くの泡を含ませて、ブラシ束６１と肌面の接触を滑らかなものとすることができる（請求項２）。
【００４３】
ブラシ束６１をその先端面へ向かって上広がり状に形成すると、ブラシ体２０の回転時におけるブラシ束６１の周側面の上部の周速度を大きくして、ブラシ束６１の周側面で肌面を洗浄する際の洗浄効果を高めることができる。さらに、ブラシ束６１の周速度を大きくすると、ブラシ体２０の回転動作で洗浄剤を泡立てる際に、泡を効果的に生成することができる（請求項３）。
【００４４】
ブラシ束６１の先端面の中央に凹部７８を形成すると、ブラシ束６１の先端面で肌面を洗浄する際に、ブラシ束６１の中央のブラシ毛が肌面に接触することを避けることができる。ブラシ束６１の中央のブラシ毛は、その周囲のブラシ毛に比べて弾性変形し難いので、中央のブラシ毛の接触を避けることにより、洗浄時に肌面がブラシ毛からダメージを受けるのを防止することができる（請求項４）。
【００４５】
棒状のブラシ軸部７６と、ブラシ軸部７６の先端に形成される外突湾曲状のブラシ先端部７７と、ブラシ先端部７７に凹み形成されて発泡要素を保持する保持凹部７８とでブラシ束６１を構成すると、発泡要素がブラシ束６１で跳ね飛ばされるのを抑止しながら、ブラシ束６１と発泡要素との接触機会を増加して泡塊を効果的に生成できる。また、ブラシ軸部７６に生成した大量の泡を含ませることができる。とくに、保持凹部７８がブラシ束６１の先端中央に設けてある場合には、発泡要素に遠心力が作用するのを極力避けながら、発泡要素をもみ動かして泡塊をさらに効果的に生成できる（請求項５）。
【００４６】
洗浄ブラシに係る別の本発明では、ブラシ束６１の下端部をブラシベース６０で支持するブラシ体２０において、ブラシベース６０の横幅Ｄとブラシ束６１の突出寸法Ｈとが、不等式（Ｄ／２＜Ｈ）を満足するように設定した。これによれば、肌面をブラシ束６１で洗浄するときのブラシ束６１の腰の強さを弱くできるので、ブラシ束６１の肌面に対する接触感をソフトで滑らかにすることができる。さらに、上下に長いブラシ束６１に洗浄剤の泡を多く含ませて、ブラシ束６１と肌面の接触を滑らかなものとして、洗浄時に肌面がダメージを受けるのを防止できる（請求項６）。
【００４７】
ブラシベース６０の横幅Ｄとブラシ束６１の突出寸法Ｈとの関係が、不等式（Ｄ＜Ｈ）を満足するように設定されていると、ブラシ束６１のブラシベース６０からの突出寸法Ｈをさらに大きくすることができる。これにより、ブラシ束６１の肌面に対する接触感をさらにソフトで滑らかなものとすることができ、上下に長いブラシ束６１にさらに多くの泡を含ませて、ブラシ束６１と肌面の接触を滑らかなものとすることができる（請求項７）。
【００４８】
ブラシ束６１の突出寸法Ｈを、ブラシベース６０の上下高さ寸法Ｈ４よりも大きく設定すると（Ｈ４＜Ｈ）、ブラシ束６１の肌面に対する接触感をさらにソフトで滑らかなものとすることができ、上下に長いブラシ束６１にさらに多くの泡を含ませて、ブラシ束６１と肌面の接触を滑らかなものとすることができる。また、ブラシベース６０の上下高さ寸法Ｈ４を横幅Ｄよりも小さく設定すると（Ｈ４＜Ｄ）、ブラシベース６０を含むブラシ体２０の全体の上下高さ寸法を小さくすることができる。これにより、ブラシ体２０を支持する本体ケース２１を含む洗浄ブラシの全体を、上下に長いブラシ束６１を備えるものでありながら、コンパクトに収めることができる（請求項８）。
【００４９】
上記に加えて、本体ケース２１の上下高さ寸法Ｈ５を、ブラシベース６０の上下高さ寸法Ｈ４および横幅Ｄと、ブラシ束６１の突出寸法Ｈよりも大きく設定すると（Ｈ４＜Ｄ＜Ｈ＜Ｈ５）、全体がコンパクトな洗浄ブラシにおいて、グリップを兼ねる本体ケース２１を、上下に長くつかみやすいものとすることができる（請求項９）。
【００５０】
ブラシ体２０を本体ケース２１に対して着脱可能に連結すると、ブラシ体２０を本体ケース２１から取外した状態で単独で使用できるので、本体ケース２１を含む洗浄ブラシの全体を保持する場合に比べて、持ち重りすることもなくていねいに肌面を洗浄することができる。ブラシ体２０を単独で使用する場合には、本体ケース２１に設けたブラシ駆動構造を駆動する必要がないため、電力を消費することもない。加えて、ブラシ体２０を本体ケース２１から分離できると、ブラシ体２０を水洗い洗浄するときに、ブラシ体２０の隅々までていねいに洗浄して泡を確実に洗い流すことができる（請求項１０）。
【００５１】
ブラシベース６０の横幅Ｄとブラシ束６１の突出寸法Ｈとの関係が、不等式（Ｄ／２＜Ｈ）を満足するように設定されていると、肌面をブラシ束６１で洗浄するときのブラシ束６１の腰の強さを弱くできるので、ブラシ束６１の肌面に対する接触感をソフトで滑らかにすることができる。さらに、上下に長いブラシ束６１により多くの泡を含ませて、ブラシ束６１と肌面の接触を滑らかなものとして、肌面が洗浄時にダメージを受けるのを防止できる（請求項１１）。
【００５２】
ブラシベース６０の横幅Ｄとブラシ束６１の突出寸法Ｈとの関係が、不等式（Ｄ＜Ｈ）を満足するように設定されていると、ブラシ束６１のブラシベース６０からの突出寸法Ｈをさらに大きくすることができる。これにより、ブラシ束６１の肌面に対する接触感をさらにソフトで滑らかなものとすることができ、上下に長いブラシ束６１にさらに多くの泡を含ませて、ブラシ束６１と肌面の接触を滑らかなものとすることができる（請求項１２）。
【００５３】
ブラシ駆動構造が、水平方向の振動を発生するバイブレーター５１を含んでいると、ブラシ束６１の周側面で肌面を洗浄する際に、該周側面を肌面に対して小刻みに叩き付けるような振動をブラシ束６１に付与して、ブラシ束６１の周側面による肌面の洗浄効果を高めることができる。ブラシ束６１の周側面で肌面を洗浄すると、肌面がブラシ毛の毛先で擦られて赤くなるなどのダメージを受けることが無い。本発明に係るブラシ束６１は上下に長いため、バイブレーター５１からの水平方向の振動が減衰し難く、従って、ブラシ束６１を的確に振動させることができる（請求項１３）。
【００５４】
泡立器に係る本発明においては、泡生成部４を備えた泡立容器１と、発泡要素を撹拌して泡を生成する撹拌体２と、撹拌体２を撹拌姿勢で支持するホルダー３などで泡立器を構成した。また、回転することにより発泡要素を撹拌するブラシ体２０と、グリップを兼ねる本体ケース２１と、ブラシ体２０を駆動するブラシ駆動構造などで撹拌体２を構成して、撹拌体２を泡立容器１に対して着脱可能に装着した。そして、上記洗浄ブラシ２が撹拌体を兼ねるようにした。こうした泡立器によれば、泡立容器１に装着した洗浄ブラシ（撹拌体）２のブラシ体２０で発泡要素を撹拌することにより、発泡要素を効果的に発泡させてムース状の泡塊を効率よく生成できる。上記洗浄ブラシのブラシ体２０のブラシ束６１は上下に長いため、このブラシ束６１で発泡要素を的確に撹拌して、泡を効果的に生成することができ、しかも生成した泡を大量に保持することができる。泡立後の洗浄ブラシ（撹拌体）２は、泡立容器１から分離することにより、単独で使用することができるので、ブラシ体２０のブラシ束６１に含まれる泡塊をそのまま必要個所に塗付して、肌面を洗浄できる。このように、本発明によれば、泡立後の泡塊の塗付作業および洗浄作業を簡便に、しかも速やかに行うことができる（請求項１４）。
【００５５】
泡生成部４の周囲壁の上部に連続して樋体状のホルダー３を形成し、泡生成部４の内部空間とホルダー３の内部空間とを、泡生成部４の上開口面より下方で連通させると、泡立容器１の全体の上下寸法を小さくできる。また、洗浄ブラシ２をホルダー３に装着した状態において洗浄ブラシ２が横臥姿勢になるので、泡立容器１および洗浄ブラシ２の重心位置を低くすることができる。従って、泡立容器１および洗浄ブラシ２をスタンド５で安定した状態で支持して泡生成作業を行うことができる（請求項１５）。
【００５６】
ブラシ体２０を本体ケース２１に対して着脱可能に連結した洗浄ブラシ２によれば、本体ケース２１から分離したブラシ体２０を、ホルダー３の下面に設けたブラシ支持具１０に装着して保管することができる。従って、ブラシ支持具１０に装着したブラシ体２０の外面全体を空気中に露出させて、水洗い後のブラシ体２０の乾燥を促進することができる。また、ホルダー３の下面に設けたブラシ支持具１０にブラシ体２０を装着するので、ホルダー３の下面側のデッドスペースを利用してブラシ体２０を保管できる（請求項１６）。
【００５７】
ブラシベース６０の装着構造９３をホルダー３のブラシ支持具１０に装着した状態において、ブラシ束６１が下向きになる状態で、ブラシ体２０をブラシ支持具１０で吊下げ支持すると、ブラシ束６１を整った外形形状のままで乾燥することができる。因みに、ブラシ束６１を上向き、あるいは斜上向きになる状態で支持する場合には、ブラシ束６１を乾燥する過程で、乾燥したブラシ毛が外倒れ状に開くのを避けられず、次回使用時にブラシ束６１の外形を整える必要がある（請求項１７）。
【００５８】
ブラシ体２０のブラシベース６０に装着構造９３を設け、化粧カバー８０を装着構造９３に装着した状態において、化粧カバー８０で装着構造９３の外面を覆うと、ブラシ体２０を本体ケース２１から分離して使用するときの外観を化粧カバー８０で整えることができる。また、装着構造９３を化粧カバー８０で覆うので、ブラシベース６０を片手で握ってブラシ体２０を使用するときに、手指が装着構造９３に当たるのを防止できる（請求項１８）。
【００５９】
ブラシ体２０のブラシベース６０に設けた継手体６４が、化粧カバー８０を連結するための装着構造９３を兼ねるようにすると、継手体６４の外面を化粧カバー８０で覆って、継手体６４の内外面に異物や塵埃が付着ないし膠着するのを防できる。従って、継手体６４を駆動軸３９に対して常に適正に連結することができる（請求項１９）。
【００６０】
化粧カバー８０の周縁に指掛片８３を突設すると、指掛片８３に指先をかけた状態で化粧カバー８０を取外し操作することにより、化粧カバー８０をブラシ支持体６２から簡便に分離できる。また、ブラシベース６０をつかんだ手指を指掛片８３の周縁で受止めて、手指が滑るのを防止できるので、ブラシ体２０を単独で使用するときのブラシ体２０のつかみ保持を確実に行える（請求項２０）。
【００６１】
スタンド５にカバー収納部１８を設け、ブラシベース６０から分離した化粧カバー８０をカバー収納部１８に収納保管すると、化粧カバー８０を定位置に保管できるので、化粧カバー８０が他物に紛れ込んで紛失してしまうのを防止できる。また、スタンド５を利用して、その一部にカバー収納部１８を設けるので、ホルダー３の下面側のデッドスペースを利用して化粧カバー８０を保管できる（請求項２１）。
【００６２】
ホルダー３のブラシ支持具１０に吊下げ支持したブラシ体２０の下方にブラシ水受１０１を設けると、ブラシ束６１から滴り落ちた水滴をブラシ水受１０１で受止めて、水滴がスタンド５あるいはスタンド５の周囲に飛散するのを防止できる（請求項２２）。
【００６３】
ブラシ水受１０１をスタンド５と一体に凹み形成すると、ブラシ水受１０１を独立した部品として別途設ける必要がないので、ブラシ水受１０１を設けることに伴うコストの増加を避けることができる。ブラシ水受１０１がスタンド５と一体化してあるので、ブラシ水受１０１が他物に紛れ込むこともない。ブラシ水受１０１で受止めた水は、タオルや吸水紙でふき取って除去する（請求項２３）。
【００６４】
ブラシ支持具１０と上下に対向するスタンド５にカバー収納部１８を設けて、カバー収納部１８に収容した化粧カバー８０がブラシ水受１０１を兼ねるようにすると、ブラシ束６１から滴り落ちた水滴を化粧カバー８０で受止めて、水滴がスタンド５あるいはスタンド５の周囲に飛散するのを防止できる。また、化粧カバー８０をカバー収納部１８から取外すことにより、化粧カバー８０に溜まった水を容易に排出できる（請求項２４）。
【００６５】
化粧カバー８０が計量容器を兼ねる泡立器によれば、水などの発泡液を化粧カバー８０で計量してブラシ束６１に含ませることができるので、ブラシ束６１に含ませる水などの発泡液の量を常に適正化して、泡および泡塊の生成を好適に行える（請求項２５）。
【００６６】
モーター２８と、伝動構造と、起振構造などでブラシ駆動構造を構成する洗浄ブラシ２によれば、本体ケース２１をホルダー３に装着して、ブラシ体２０をブラシ駆動構造で回転駆動して発泡要素を発泡させることができる。また、本体ケース２１をホルダー３から取外すことにより、泡生成部４内の泡塊をブラシ束６１ですくい取って肌面に塗付することができる。さらに、起振構造を作動させてブラシ束６１を振動させた状態で、ブラシ束６１の周側面を肌面にあてがうことにより肌洗浄を行うことができる。このように、本発明に係る泡立器によれば、洗浄ブラシ２を作動させてムース状の泡塊の生成を迅速に行うことができ、さらに、ホルダー３から取外した本体ケース２１およびブラシ体２０で泡塊をすくい取って肌面に迅速に塗付することができる。さらにブラシ体２０を起振構造で振動させながら、ブラシ束６１の周面を肌面にあてがって肌洗浄を効果的に行うことができる。
【００６７】
上記のように本発明に係る洗浄ブラシ２では、ブラシ体２０の軸周面を肌面にあてがった状態で、ブラシ体２０を前後、左右、あるいは上下方向へ振動させて洗浄およびマッサージを行うので、肌面がブラシで擦られるのを防止しながら肌洗浄をソフトに行うことができる。従って、ブラシ体２０を使用して肌洗浄を行うにもかかわらず、肌面が赤くなり、あるいは肌面がひりひりするなどのダメージを肌面に与えることがなく、とくに肌面が外部刺激に対して敏感に反応しやすいユーザーであっても、優しく洗浄作業を行うことができる（請求項２６）。
【００６８】
スイッチ２６をオン操作すると運転モードが泡立モードになってブラシ体２０をモーター２８で一定時間だけ回転駆動でき、泡立モードが終了したのちに運転モードを肌洗浄モードに自動的に切換えて、再びスイッチ２６をオン操作するのに伴い、ブラシ体２０を起振構造で一定時間だけ振動できるようにした。こうした洗浄ブラシ２によれば、泡立作業から肌洗浄に至る一連の動作を連続して行わせることができる。従って、必要以上にブラシ体２０が回転駆動され、あるいは、ブラシ体２０が長い時間にわたって振動されるのを防止して、肌面がダメージを受けるのを確実に防止できる（請求項２７）。
【００６９】
把持部７９の横幅Ｄ３と上下高さ寸法Ｈ３との関係が、不等式（Ｄ３＞Ｈ３）を満足するように設定されていると、把持部７９を手指でつかみ易くなるので、ブラシ体２０を単独で使用するときに、ブラシ体２０を軽快に操作することができる（請求項２８）。
【００７０】
把持部７９が、ブラシベース６０に着脱可能に装着される計量容器８５を含んで構成されていると、水などの発泡液を計量容器８５で計量してブラシ束６１に含ませることができるので、ブラシ束６１に含ませる水などの発泡液の量を常に適正化して、泡および泡塊の生成を好適に行える（請求項２９）。
【００７１】
把持部７９の外面に指掛片８３を突設すると、把持部７９をつかんだ手指を指掛片８３の周縁で受止めて、手指が滑るのを防止できるので、ブラシ体２０を単独で使用するときのブラシ体２０のつかみ保持を確実に行える（請求項３０）。
【００７２】
指掛片８３を計量容器８５に突設すると、指掛片８３に指先をかけた状態で計量容器８５を取外し操作することにより、化粧カバー８０をブラシベース６０から簡便に分離できる。また、ブラシベース６０から分離した計量容器８５で発泡液を計量する際に、指先で指掛片８３を摘んで、計量容器８５を簡便に操作することができる（請求項３１）。
【００７３】
指掛片８３に吊掛穴８４を形成すると、指掛片８３の表面に凹凸が生じるので、指掛片８３にかけた指先が滑りにくくなって、指掛片８３を摘み易くなる。また、吊掛穴８４を貫通状に形成すると、吊掛穴８４を利用してブラシ体２０の全体を吊り下げることにより、ブラシ束６１を乾燥させることができる（請求項３２）。
【図面の簡単な説明】
【００７４】
【図１】本発明の実施例１に係る洗浄ブラシのブラシ束の縦断正面図である。
【図２】泡立容器と洗浄ブラシ（撹拌体）を分離した状態で示す側面図である。
【図３】泡立容器の平面図である。
【図４】洗浄ブラシの分解側面図である。
【図５】洗浄ブラシの側面図である。
【図６】洗浄ブラシの内部構造を示す縦断側面図である。
【図７】ブラシ体の縦断正面図である。
【図８】図７におけるＡ−Ａ線断面図である。
【図９】ブラシ束を調整リングで縮径操作した状態のブラシ体の断面図である。
【図１０】洗浄ブラシを泡立容器に装着した状態の側面図である。
【図１１】駆動ピースと継手体を示す分解斜視図である。
【図１２】モーターとバイブレーター（振動モーター）の動作状態を示すタイミングチャートである。
【図１３】泡立器の泡立動作を示す縦断側面図である。
【図１４】ブラシ体をブラシ支持具に装着した状態の側面図である。
【図１５】図３におけるＢ−Ｂ線断面図である。
【図１６】図３におけるＣ−Ｃ線断面図である。
【図１７】実施例２に係るブラシ束の縦断正面図と底面図である。
【図１８】実施例３に係るブラシ束の縦断正面図と底面図である。
【図１９】実施例４に係るブラシ束の要部の縦断正面図である。
【図２０】実施例５に係る泡立容器の要部の縦断側面図である。
【図２１】実施例６に係るブラシ体の縦断面図である。
【図２２】実施例７に係る洗浄ブラシの縦断面図である。
【図２３】実施例８に係る洗浄ブラシの縦断面図である。
【発明を実施するための形態】
【００７５】
（実施例１）  図１ないし図１６は、本発明の実施例１に係る洗顔用の洗浄ブラシと、洗顔用の洗浄剤の泡立器を示しており、洗浄ブラシが泡立器の撹拌体を兼ねている。本発明における前後、左右、上下とは、図２および図５の交差矢印と、交差矢印の近傍に表記した前後、左右、上下の表示に従う。図２において泡立器は、泡立容器１と、泡立容器１に装着される洗浄ブラシ（撹拌体）２と、洗浄ブラシ２を撹拌姿勢に支持するホルダー３とで構成される。泡立容器１は、平面視が円形で上向きに開口する泡生成部４と、泡生成部４を支持するスタンド５と、泡生成部４の後上部に連続して形成されるホルダー３を一体に備えたカレーポット状のプラスチック成型品からなる。
【００７６】
ホルダー３は、滑らかに連続するホルダー底壁８と、ホルダー底壁８に連続して上向きに延びるホルダー側壁９とで断面Ｕ字形の樋体状に形成される。ホルダー底壁８とホルダー側壁９とは、その後端から泡生成部４へ向かって下り傾斜されており、ホルダー底壁８の後端の下面側には、後述するブラシ体２０を吊下げ支持する丸軸状のブラシ支持具１０が下向きに突設されている。洗浄ブラシ２の本体ケース２１をホルダー３に装着して撹拌姿勢に保持した状態（図１０参照）において、本体ケース２１の下半周面はホルダー底壁８およびホルダー側壁９でしっかりと支持される。従って、泡立時に本体ケース２１に作用する回転反力をホルダー側壁９で受止めて、洗浄ブラシ２をホルダー３で安定した状態に支持できる。
【００７７】
図３に示すようにホルダー３の内部空間と泡生成部４の内部空間との間には、両空間を前後に区分する逆Ｖ字状の区分壁１１が形成され、その左右中央に前記両空間を連通する連通溝１２が、区分壁１１と直交する状態で凹み形成されている。ホルダー３の内部空間に臨む区分壁１１のうち、連通溝１２を囲む傾斜壁は、ホルダー３に装着した洗浄ブラシ２を受止めるための規制部１３として機能する。規制部１３はホルダー３の内部空間の傾斜下端に位置されている。区分壁１１で前後に区分されたホルダー３の内部空間と泡生成部４の内部空間とは、泡生成部４の上開口面より下方で連通されている。
【００７８】
泡生成部４は、器底壁１５と、器底壁１５に連続して上向きに延びる器周囲壁１６とで、上向きに開口する容器状に構成されており、先の区分壁１１と対向する器周囲壁１６の前半周面の複数個所に、ブラシ体２０に強い圧力を付加し、その圧力で発泡要素に強い圧力を作用させながら泡立てを行う泡立リブ１７が設けられている。この実施例では、器周囲壁１６の前半周面の６個所において、連続波型の泡立リブ１７を器周囲壁１６の開口縁から器底壁１５にわたって形成した。泡立リブ１７が形成された器底壁１５から器周囲壁１６にわたる部分が、後述するブラシ束６１と共同して泡を発生させる起泡部Ｆとして機能する。なお、泡立リブ１７と対向する器周囲壁１６の後半周面は平滑な２次元平面で形成されている。上記のように、泡立リブ１７は上下方向に連続する断面が山形のリブで形成するが、上下方向に断続する断面が山形のリブで形成してあってもよい。
【００７９】
スタンド５は泡生成部４の下方からホルダー３の下方にわたって連出されて、前後に長い楕円形の伏皿状に形成されており、先に説明したブラシ支持具１０と上下に対向するスタンド５の壁面に、後述する化粧カバー８０を収納保管する円形のカバー収納部１８が設けられている。なお、楕円形のスタンド５の後端は、ホルダー３の後端よりも後方に位置している。このように、スタンド５を泡生成部４の下方からホルダー３の下方にわたって、前後に長く形成することにより、泡立容器１とホルダー３に装着した洗浄ブラシ２を安定した状態で支持でき、泡立器の全体の印象を優美でありながらシンプルなものとすることができる。
【００８０】
図４および図５に示すように洗浄ブラシ２は、泡生成部４に収容した発泡要素を撹拌するブラシ体２０と、ブラシ体２０を支持する上下に長い本体ケース２１と、本体ケース２１の内部に設けられてブラシ体２０を駆動するブラシ駆動構造などで構成する。本体ケース２１はグリップを兼ねており、上半の上ケース２２と、上ケース２２に対して着脱される有底筒状の下ケース２３と、上ケース２２の上端に固定されるエンドカバー２４とで構成されている。上ケース２２の右側面にはスイッチ凹部２５が凹み形成されており、その下部にモーター２８への給電状態を切換えるメインスイッチ（スイッチ）２６が設けられている。
【００８１】
図４に示すように、本体ケース２１の内部には内フレーム２７が収容されており、この内フレーム２７にモーター２８、電池２９、起振構造、およびモーター２８の回転動力を減速した状態で出力する伝動構造などが組込まれている。ブラシ駆動構造は、モーター２８と伝動構造と起振構造で構成される。図５に示すように、モーター２８は、本体ケース２１の上下方向の中心軸Ｑより肩部３４の側へ偏寄した位置に配置されている。符号３０は洗浄ブラシ２の運転モードに応じて発光表示するＬＥＤ灯である。図示していないが、スイッチ凹部２５と正対する上ケース２２の内部には、モーター２８および起振構造（第１、第２の振動モーター５１・５２）の駆動状態を制御する制御基板が配置されている。該制御基板は、内フレーム２７に固定されている。
【００８２】
上ケース２２は前後に長い楕円筒状に形成されており、ケース上端における楕円の長軸寸法は、ケース下端における楕円の長軸寸法より大きく設定されており、上ケース２２の全体が上広がり筒状に形成されている。図６に示すようにエンドカバー２４は上ケース２２の上開口を塞ぐ状態で後述するシール蓋４３にビス３２で締結されており、その上面にブラシ体２０を連結するためのボス壁３３が膨出形成され、ボス壁３３の前側下縁に沿って三日月状の肩部３４が前向きに張出されている。図１０に示すように、本体ケース２１をホルダー３に装着して撹拌姿勢に保持した状態において、本体ケース２１の周面はホルダー底壁８およびホルダー側壁９で受止め支持されており、同時に肩部３４が先の規制部１３で受止められて位置決めされている。このように、ホルダー３に装着した洗浄ブラシ２を泡生成部４に対して位置決めすることにより、起泡部Ｆの器底壁１５および器周囲壁１６に接触したブラシ束６１の弾性変形量を常に一定にして均一化できる。これにより、洗浄ブラシ２をホルダー３に装着した状態において、ブラシ束６１が過剰に変形されて劣化するのを防止できる。装着状態における洗浄ブラシ２の重量の大半は、肩部３４と接合する規制部１３で受止められる。
【００８３】
図１０に示すように、本体ケース２１をホルダー３に装着して撹拌姿勢に保持した状態では、本体ケース２１のグリップ遊端が、ホルダー３の突端（後端）から突出する。詳しくは、ホルダー３で支持されている本体ケース２１の中心軸Ｑ方向の長さをＷ１とし、ホルダー３の突端から突出しているグリップ遊端側の中心軸Ｑ方向の長さをＷ２とするとき、不等式（Ｗ１＞Ｗ２）を満足するようにホルダー３および本体ケース２１が形成してある。また、メインスイッチ２６の近傍に洗浄ブラシ２の重心Ｇがあるとき、グリップ遊端はホルダー３の突端から水平距離Ｈ２の分だけ突出しており、重心Ｇはホルダー３の突端から水平距離Ｈ１の分だけブラシ体２０に近づく位置に位置している。なお、水平距離Ｈ１と水平距離Ｈ２の関係は、不等式（Ｈ１＞Ｈ２）を満足するように設定してある。このように、本体ケース２１の大半の部分をホルダー３で保持し、さらに洗浄ブラシ２の重心Ｇをホルダー３の突端より泡生成部４に近い側に位置させることにより、ホルダー３に装着した洗浄ブラシ２を、ホルダー３で安定した状態に支持することができる。また、泡立時に本体ケース２１に回転反力が作用する状態においても、ブラシ体２０が泡生成部４の器底壁１５から浮き離れる向きに本体ケース２１が傾くのを防止して、洗浄ブラシ２を安定した状態で撹拌姿勢に保持し続けることができる。
【００８４】
図６に示すように、モーター２８の回転動力は、その出力軸に固定した原動ギヤ３５と、第１減速ギヤ３６と、第２減速ギヤ３７と、終段ギヤ３８とからなる伝動構造で減速されて、終段ギヤ３８に固定した駆動軸３９から出力される。第１減速ギヤ３６と第２減速ギヤ３７は、それぞれ大径ギヤと小径ギヤを一体に備えており、第１中間軸４０と第２中間軸４１で回転自在に支持されている。第１中間軸４０は、内フレーム２７と、同フレーム２７の上端に固定したギヤフレーム４２とで軸支されており、第２中間軸４１は、ギヤフレーム４２と、上ケース２２の上開口を塞ぐシール蓋４３とで軸支されている。駆動軸３９は、シール蓋４３に組付けたベアリング４４で軸支されて、その上部がボス壁３３の中央に設けた連結穴４５に露出されている。駆動軸３９の上端には、断面が六角形の駆動ピース４６が固定されている（図１１参照）。駆動軸３９の基端は、シール蓋４３に装着した防水シール４７で封止されており、さらに、シール蓋４３と上ケース２２の接合面がＯリングで封止されている。従って、洗浄剤や泡、あるいは水が連結穴４５からシール蓋４３の内部に浸入することはない。ギヤフレーム４２とシール蓋４３は、複数個のビス４８で上ケース２２に締結されている。
【００８５】
起振構造は、前後方向（水平方向）の振動を発生する第１振動モーター（バイブレーター）５１と、上下方向の振動を発生する第２振動モーター５２とで構成されており、それぞれモーター２８の後側の上下に配置されている。第１振動モーター５１は、シリンダー型のモーター５３と偏心錘５４とで構成されており、第２振動モーター５２は、コイン型のモーター５５と偏心錘５６とを円盤状のケースに封入して構成されている。両振動モーター５１・５２を同時に駆動することにより、ブラシ体２０を前後および上下に振動させることができる。
【００８６】
図７においてブラシ体２０は、上下に伸びる一群のブラシ毛からなるブラシ束６１と、ブラシ束６１の下端部を固定保持する円筒状の保持リング７５と、保持リング７５の外周面に固定されるブラシベース６０とを備えている。ブラシ束６１は、繊維径が５０〜７０μｍの合成繊維の一群を断面円形に束ねて構成されており、その下端部が金属板製の保持リング７５の内周面に固定されている。ブラシベース６０は、有底丸筒状のブラシ支持体６２と、ブラシ支持体６２で上下スライド自在に支持した調整リング６３と、ブラシ支持体６２の下面中央に突設した継手体６４とを備えており、保持リング７５をブラシ支持体６２の筒壁の内面に嵌込んで接着固定することにより、ブラシ体６１および保持リング７５がブラシ支持体６２と一体化されている。調整リング６３は、ブラシ支持体６２の周面を覆う通常位置（図７に示す状態）と、ブラシ支持体６２の上端寄りまでスライド操作されて、ブラシ束６１の中途部を絞る縮径位置（図９に示す状態）とにスライド操作できる。継手体６４は、ブラシ体２０をブラシ支持具１０に係合装着するための装着構造９３を兼ねている。
【００８７】
調整リング６３を上下スライドのみ可能に案内するために、図８に示すようにブラシ支持体６２および調整リング６３の対向周面のそれぞれに平坦なスライド面６５を設け、スライド面６５の中央にガイドリブ６６とスライド溝６７を設けている。さらに、調整リング６３を通常位置と縮径位置において位置保持するために、スライド面６５から位相が９０度ずれた位置のブラシ支持体６２の周面の上下と、調整リング６３の内周面の下端とに係合リブ６８・６９を設けている。図１１に示すように、継手体６４は、回転力を受ける３個の受動壁７０と、駆動ピース４６に係合する３個の弾性腕７１とを交互に配置して六角筒状に形成されており、各弾性腕７１の内面の下端寄りに係合片７２が突設されている。
【００８８】
ブラシ束６１は、保持リング７５の上縁から上方へ延びる棒状のブラシ軸部７６と、ブラシ軸部７６の先端に形成される外突湾曲状のブラシ先端部７７と、ブラシ先端部７７の中央に凹み形成される保持凹部（凹部）７８とを備えている。この実施例においては、ブラシ束６１をブラシベース６０の側からブラシ先端部７７へ向かって上広がり状に形成して、ブラシ軸部７６を逆円錐台状に形成し、ブラシ先端部７７を部分球面状に形成した。また、保持凹部７８は部分球面状の凹曲面で形成して、その内部に洗顔剤などの発泡剤を保持できるようにした。ブラシ軸部７６は、より多くの泡や洗浄剤を含むことに役立っており、ブラシ先端部７７は洗浄剤を効果的に泡立てることに役立っている。
【００８９】
ブラシ体２０を構成するブラシ束６１、保持リング７５、およびブラシベース６０の寸法関係は、以下に説明するように設定することが好ましい。図１に示すように、保持リング７５の内周面の水平方向の最大横幅、すなわち内径をＤ０とし、ブラシ束６１の保持リング７５からの突出寸法をＨ０とするとき、保持リング７５の内径Ｄ０とブラシ束６１の突出寸法Ｈ０とが、不等式（Ｄ０／２＜Ｈ０）を満足するように設定する。また図７に示すように、ブラシベース６０の直径（横幅）をＤとし、ブラシ束６１のブラシベース６０からの突出寸法をＨとするとき、ブラシベース６０の横幅Ｄとブラシ束６１の突出寸法Ｈとが、不等式（Ｄ／２＜Ｈ）を満足するように設定する。後述するように、洗顔を行う場合には、ブラシ軸部７６の軸周面を顔肌にあてがった状態で洗浄するが、上記のように、ブラシ束６１の保持リング７５あるいはブラシベース６０からの突出寸法Ｈ０・Ｈを大きくすると、顔肌をブラシ束６１で洗浄するときのブラシ軸部７６の腰の強さを弱くできるので、ブラシ軸部７６の顔肌に対する接触感をソフトで滑らかなものとすることができる。また、上下に長いブラシ束６１により多くの泡を含ませて、ブラシ軸部７６と顔肌の接触を滑らかなものとして、顔肌がダメージを受けるのを防止できる。
【００９０】
さらに、保持リング７５の内径をＤ０とし、ブラシ束６１の保持リング７５からの突出寸法をＨ０とするとき、保持リング７５の内径Ｄ０と、ブラシ束６１の突出寸法Ｈ０とが、不等式（Ｄ０＜Ｈ０）を満足するように設定する。また図４に示すように、ブラシベース６０の上下高さ寸法をＨ４とし、ブラシベース６０の横幅をＤとし、ブラシ束６１のブラシベース６０からの突出寸法をＨとするとき、ブラシベース６０の上下高さ寸法Ｈ４および横幅Ｄと、ブラシ束６１の突出寸法Ｈとが、不等式（Ｈ４＜Ｄ＜Ｈ）を満足するように設定する。こうしたブラシ体２０によれば、ブラシ束６１の保持リング７５あるいはブラシベース６０からの突出寸法Ｈ０・Ｈをさらに大きくすることができる。従って、ブラシ軸部７６の顔肌に対する接触感をさらにソフトで滑らかなものとすることができ、上下に長いブラシ束６１にさらに多くの泡を含ませて、ブラシ軸部７６と顔肌の接触を滑らかなものとすることができる。また、ブラシベース６０の上下高さ寸法Ｈ４を横幅Ｄよりも小さく設定すると（Ｈ４＜Ｄ）、ブラシベース６０を含むブラシ体２０の全体の上下高さ寸法を小さくすることができる。これにより、ブラシ体２０を支持する本体ケース２１を含む洗浄ブラシ２の全体を、上下に長いブラシ束６１を備えるものでありながら、コンパクトに収めることができる。
【００９１】
また図４に示すように、本体ケース２１の上下高さ寸法をＨ５とするとき、ブラシベース６０の上下高さ寸法Ｈ４および横幅Ｄと、ブラシ束６１の突出寸法Ｈと、本体ケース２１の上下高さ寸法Ｈ５とが、不等式（Ｈ４＜Ｄ＜Ｈ＜Ｈ５）を満足するように設定する。こうした洗浄ブラシ２によれば、上記のように洗浄ブラシ２の全体をコンパクトに収めながらも、グリップを兼ねる本体ケース２１を、上下に長くつかみやすいものとすることができる。
【００９２】
ブラシ束６１に関しては、保持リング７５の内径をＤ０とし、ブラシベース６０の直径（横幅）をＤとし、ブラシ軸部７６の上端における直径（横幅）をＤ１とするとき、保持リング７５の内径Ｄ０と、ブラシベース６０の直径（横幅）Ｄと、ブラシ軸部７６の直径（横幅）Ｄ１とが、不等式（Ｄ０＜Ｄ＜Ｄ１）を満足するように設定する。このように、ブラシ軸部７６を逆円錐台状に形成すると、ブラシ軸部７６とブラシ先端部７７との境界付近の直径が大きくなるので、泡立時における周速度を大きくして、泡を効果的に生成でき、しかも、ブラシ軸部７６の軸周面で顔肌を洗浄する際の洗浄効果を高めることができる。また、ブラシ先端部７７が部分球面状に形成してあるので、泡立時の器底壁１５および器周囲壁１６とブラシ先端部７７の接触面積を大きくして、泡をさらに効果的に生成できる。
【００９３】
上記のように構成したブラシ体２０は、図６に示すように、ブラシベース６０の継手体６４を駆動ピース４６に連結して、ブラシ体２０を本体ケース２１と一体化して使用する。ブラシ体２０を駆動軸３９に連結した状態においては、各弾性腕７１の係合片７２が駆動ピース４６の下端面に係合して、ブラシ体２０が駆動軸３９から分離するのを防止している。上記とは異なり、ブラシ体２０を駆動軸３９から取外して、ブラシベース６０を片手で持った状態で、ブラシ体２０を単体で使用することができる。このように、単独で使用する際のブラシ体２０の外観上の体裁を向上し、さらに、ブラシベース６０の下面に突出する継手体６４を保護するために、ブラシベース６０の下面に化粧カバー８０を着脱自在に装着している（図７参照）。これらブラシベース６０および化粧カバー８０が、ブラシ体２０を単独で使用する際の把持部７９を構成する。
【００９４】
上記のように、洗浄ブラシ２のブラシ体２０を本体ケース２１に対して着脱可能に連結すると、ブラシ体２０を本体ケース２１から取外した状態で単独で使用できる。従って、ブラシ体２０ですくい取った泡をていねいに肌面に塗付することができる。泡を塗付するときは、本体ケース２１に比べて軽量のブラシ体２０のみを保持すればよいので、持ち重りすることもなくていねいに泡を塗付できる。また、ブラシ体２０を肌面に接触させてなでつけることにより、ユーザーの好みに合った洗浄状態で肌面を積極的に洗浄できるうえ、泡を塗付するときと同様に持ち重りすることもなく肌洗浄を行える。肌洗浄時に電力を消費することもない。加えて、ブラシ体２０を水洗い洗浄するときに、ブラシ体２０の隅々までていねいに洗浄して泡を確実に洗い流すことができる利点もある。
【００９５】
図７において化粧カバー８０は、上向きに開口する円形容器状のカバー本体８１と、カバー本体８１の内面中央に設けた装着部８２と、開口周縁に張出し形成した舌片状の指掛片８３とを一体に備えたプラスチック成型品からなる。装着部８２は、ブラシ支持体６２の継手体６４に対応して六角筒状に形成してあり、装着部８２を継手体６４に外嵌係合することにより、化粧カバー８０をブラシ支持体６２と一体化して、継手体６４（装着構造９３）の外面をカバー本体８１で覆い隠すことができる。この状態のブラシベース６０（把持部７９）を片手で持って、ブラシ体２０を使用することができる。
【００９６】
上記のように、ブラシ体２０を本体ケース２１から取外して、化粧カバー８０で装着構造９３の外面を覆うようにすると、ブラシ体２０を本体ケース２１から分離して使用するときの外観を化粧カバー８０で整えることができる。また、装着構造９３を化粧カバー８０で覆うので、ブラシベース６０（把持部７９）を片手で握ってブラシ体２０を使用するときに、手指が装着構造９３に当たるのを防止できる。さらに、装着構造９３を兼ねる継手体６４に異物が付着するのを防止して、継手体６４と駆動ピース４６との接続を常に適正に行うことができる。
【００９７】
化粧カバー８０をブラシベース６０に装着した状態における指掛片８３は、ブラシベース６０と化粧カバー８０の接合面の外方へ突出しているので、指掛片８３に指先をかけた状態で化粧カバー８０を取外し操作することにより、化粧カバー８０をブラシ支持体６２から簡便に分離できる。また、ブラシベース６０（把持部７９）をつかんだ手指を指掛片８３の周縁で受止めて、手指が滑るのを防止できる。指掛片８３には吊掛穴８４が貫通状に形成されている。吊掛穴８４を形成すると、指掛片８３の表面に凹凸が生じるので、指掛片８３にかけた指先が滑りにくくなって、指掛片８３を摘み易くなる。これにより、化粧カバー８０のブラシベース６０からの分離操作をより簡便に行える。また、ブラシベース６０に化粧カバー８０に装着した状態で、吊掛穴８４にフックなどを通せば、ブラシ体２０の全体を吊り下げて、ブラシ束６１を乾燥させることができる。
【００９８】
この実施例における化粧カバー８０は、水または湯などの発泡液の計量容器８５を兼ねており、その内面には計量表示が設けられている。詳しくは、カバー本体８１の内面に設けた六角筒状の装着部８２が、発泡液を計量するための計量部を構成しており、その筒壁の外周面に計量表示を印刷し、あるいは筒壁の外周面に形成した凹状リブや凸状リブで計量表示を形成している。従って、計量表示の周囲をカバー本体８１で覆って保護することができる。計量容器８５で発泡液を計量する際は、指掛片８３を指先で摘んで計量容器８５を把持することができる。また、指掛片８３に設けた吊掛穴８４にフックなどを通して計量容器８５を吊り下げれば、計量後の計量容器８５を乾燥させることができる。なお、より多くの水または湯を計量する必要がある場合には、カバー本体８１を計量部とすることができ、あるいは、カバー本体８１と装着部８２の両者を計量部とすることができる。
【００９９】
把持部７９の直径（横幅）Ｄ３は、ブラシベース６０の直径（横幅）Ｄに一致する。把持部７９の直径Ｄ３と上下高さ寸法Ｈ３とは、不等式（Ｄ３＞Ｈ３）を満足するように設定する。このように、把持部７９の直径（横幅）Ｄ３を比較的大きく設定すると、把持部７９を手指でつかみ易くなるので、ブラシ体２０を単独で使用する際に、ブラシ体２０を軽快に操作することができる。なお、把持部７９の直径（横幅）Ｄ３および上下高さ寸法Ｈ３と、ブラシベース６０の直径（横幅）Ｄおよび上下高さ寸法Ｈ４と、ブラシ束６１のブラシベース６０からの突出寸法Ｈと、ブラシ軸部７６の上端における直径（横幅）Ｄ１は、調整リング６３が通常位置にある場合のものである。
【０１００】
以上のように構成した泡立器を用いて洗顔を行う場合について、泡立容器１と洗浄ブラシ（撹拌体）２による泡立作用の詳細と、洗浄ブラシ２による肌洗浄作用の詳細を以下に説明する。まず、ブラシ体２０を駆動軸３９に連結し、クリーム状の適量の洗顔用の洗浄剤を保持凹部７８に付着させて、図１０に示すように本体ケース２１をホルダー３に装着したのち、ブラシ体２０に適量の水または湯を含浸させる。この時、計量容器８５（化粧カバー８０）で水または湯を計量することにより、洗浄剤に対する水または湯を過不足なくブラシ体２０に含ませることができる。給水後の計量容器８５（化粧カバー８０）は、その開口面が上向きになる状態でカバー収納部１８に収納保管する。本体ケース２１をホルダー３に装着した状態において、モーター２８は本体ケース２１の中心軸Ｑより肩部３４の側へ偏寄した位置に位置している。そのため、ホルダー３で支持された本体ケース２１の重心をホルダー底壁８に近い側に位置させて、洗浄ブラシ２の全体を安定した状態で支持することができる。なお、保持凹部７８を備えていないブラシ体２０の場合には、部分球面上のブラシ先端部７７に洗浄剤を付着させるとよい。
【０１０１】
図１３に示すように、ホルダー３に装着した本体ケース２１は、その肩部３４が規制部１３で受止められて斜め下向きの横臥姿勢で位置決めされる。そのため、ブラシ体２０の回転中心軸Ｐは、泡生成部４の外周側から容器中央へ向かって下り傾斜している。このように、本体ケース２１をホルダー３に装着した状態では、本体ケース２１の大半の部分がホルダー３で保持され、さらに洗浄ブラシ２の重心Ｇがホルダー３の突端より泡生成部４に近い側に位置しているので、ホルダー３に装着した洗浄ブラシ２を、ホルダー３で安定した状態で支持することができる。また、本体ケース２１を撹拌姿勢にした状態では、ブラシ束６１は器底壁１５から器周囲壁１６にわたる起泡部Ｆに接触して、その先端が一定量だけ弾性変形している。この状態でメインスイッチ２６をオン操作すると、図１２に示すように、モーター２８が起動して、その回転動力が伝動構造で減速されたのちブラシ体２０に伝動される。このときのモーター２８は、低速回転（５０００ｒｐｍ）するように設定されており、モーター２８が起動してから１分が経過するまで、その状態を維持する。そして、低速回転時間が１分に達するとモーター２８は増速されて高速回転（１００００ｒｐｍ）する。さらに、高速回転モードに移行して１分が経過すると、モーター２８を停止させて泡立モードを終了する。なお、モーター２８が低速で駆動されているときの駆動軸３９およびブラシ体２０の駆動回転数は１５０ｒｐｍであり、モーター２８が高速で駆動されているときの駆動軸３９およびブラシ体２０の駆動回転数は３００ｒｐｍである。
【０１０２】
泡立モードが終了したら、本体ケース２１をホルダー３から取外す。この時、図１０に示すように、ホルダー３に装着した状態の本体ケース２１のグリップ遊端側が、ホルダー３の突端から斜後方向へ大きく突出しているので、突出するケース部分を手掛かりにして本体ケース２１を容易にホルダー３から取外すことができる。ホルダー３から分離した状態のブラシ体２０のブラシ束６１には生成した大量の泡が保持されている。とくにブラシ軸部７６は多くの泡を含んで膨らんでおり、さらにブラシ軸部７６やブラシ先端部７７の周面には肌理細かな弾力に富む泡が付着している。従って、洗浄ブラシ２をホルダー３から分離したのち、余分な泡を器周囲壁１６の開口縁でしごいてブラシ体２０の外形を整え、ブラシ体２０に保持されている泡を顔肌や肌面に直接塗付することができる。ブラシ体２０に含まれる泡の残量が少なくなってきたら、泡生成部４内の泡塊をブラシ体２０ですくい取って、頬回り、額、あご、鼻などの顔肌に塗付する。
【０１０３】
洗浄ブラシ２に実装された制御基板は、泡立モードの終了後にメインスイッチ２６が再びオン操作されると、肌洗浄モードを開始する。肌洗浄モードにおいては、モーター２８は停止したまま、起振構造すなわち第１振動モーター５１と第２振動モーター５２を駆動する。ブラシ体２０のブラシ軸部７６の軸周面（ブラシ束６１の周側面）を洗浄すべき顔肌にあてがい、メインスイッチ２６をオン操作すると、第１振動モーター５１と第２振動モーター５２が起動し、本体ケース２１およびブラシ体２０が、前後を含む全周囲方向へ振動する。これにより、顔肌に付着している皮脂、古い角質、あるいは毛穴に入込んでいる汚れや化粧料などを、肌を傷めることなく洗い落すことができる。肌洗浄モードを開始してから１分が経過すると、肌洗浄モードが終了となり、第１振動モーター５１と第２振動モーター５２が停止するので、それまでの間に頬回りや額などをブラシ軸部７６で洗浄する。最後に、本体ケース２１をホルダー３に再装着して、水または湯を使用して顔肌に付着している泡を洗い流し、水気を取り除いた状態で化粧水などを顔肌に塗付して洗顔を終了する。洗浄時には、ブラシ体２０の振動作用によって、顔肌をマッサージできるので血行を促進できる効果もある。なお必要があれば、肌洗浄モードの途中でメインスイッチ２６を操作して、肌洗浄モードを強制的に終了することができる。
【０１０４】
本実施例の肌洗浄モードでは、起振構造でブラシ体２０を振動させたが、必ずしもその必要はない。例えば、肌洗浄モード時に、ブラシ体２０を再び回転駆動して顔肌の洗浄を行うことができる。その場合のブラシ体２０の回転速度は、泡立モード時のブラシ体２０の回転速度よりさらに小さな回転速度で回転駆動して、顔肌に対する刺激を小さくすることが好ましい。また、肌洗浄モード時のブラシ体２０の駆動時間は１分前後とすることが好ましい。より強い刺激を与えた状態で肌洗浄を行う必要がある場合には、ブラシ体２０を起振構造で振動させ、さらにブラシ体２０を回転駆動した状態で肌洗浄を行うことができる。また、本実施例では、メインスイッチ２６のオン操作によって肌洗浄モードを開始させたが、必ずしもその必要はない。例えば、泡立モードが終了したのち、一定時間が経過した時点で自動的に肌洗浄モードに移行して、第１振動モーター５１と第２振動モーター５２を起動して肌洗浄を行い、さらに一定時間が経過したのちに両モーター５１・５２を停止させて自動的に肌洗浄モードを終了することができる。
【０１０５】
洗顔が終了したら、本体ケース２１から取外したブラシ体２０と泡立容器１を水洗いし、泡立容器１およびブラシ体２０に付着している泡を洗い流して水切りする。次に、図１４に示すように、ブラシ体２０の継手体６４をホルダー３のブラシ支持具１０に係合して、ブラシ束６１が下向きになる状態でブラシ体２０をホルダー３に固定し、ブラシ束６１を乾燥させその状態のままで保管する。本実施例では、スタンド５のカバー収納部１８に収容された化粧カバー８０が、ブラシ支持具１０に吊下げ支持したブラシ体２０の下方に位置して、ブラシ束６１から落下する水滴を受止めるブラシ水受１０１を兼ねるようにした。このように、ブラシ体２０の下方にブラシ水受１０１を設けると、ブラシ束６１から滴り落ちた水滴が、スタンド５の周囲に飛散するのを防止できる。また、化粧カバー８０をカバー収納部１８から取外すことにより、化粧カバー８０に溜まった水を容易に排出できる。本体ケース２１はホルダー３に装着してもよいし、泡立容器１から分離した状態で保管してもよい。
【０１０６】
洗顔時における泡立器の使用法の概略は以上のとおりであり、本発明に係る洗浄ブラシ２では、ブラシ体２０のブラシ軸部７６の軸周面を顔肌にあてがった状態で、ブラシ体２０を前後方向を含む全周方向へ振動させて、洗浄およびマッサージを行う点に特徴を有する。このように、ブラシ軸部７６の軸周面を顔肌にあてがって顔肌を洗浄すると、顔肌がブラシで擦られるのを防止しながら洗顔できるので、ブラシ体２０を使用して洗顔するときに肌が赤くなり、あるいは肌がひりひりするなどのダメージを顔肌に与えることがない。なお、円盤状に形成したブラシ束の平坦なブラシ先端を顔肌にあてがって、ブラシ体を回転駆動しながら顔肌を洗浄する実験を行ったが、ブラシ体のあてがい方によっては、顔肌が過剰に擦られて、先のような肌ダメージを与えてしまうことが確認された。また、ブラシ体を回転駆動しながら顔肌を洗浄する過程では、円盤形のブラシ束の回転中央に位置する毛束が、棒状にかたまった状態で肌面に押付けられているように感じられるため、電動洗顔ブラシの使用方法が不適切であると、先のような肌ダメージをひき起こしやすいことが予想される。
【０１０７】
洗浄ブラシ２を泡立モードで作動させる状態において、ブラシ体２０の回転中心軸Ｐは図１５のように下り傾斜して、そのブラシ束６１の先端が起泡部Ｆに臨む器周囲壁１６と器底壁１５とに同時に接触して、ブラシ先端が上向きに弾性変形している。また、泡生成部４のホルダー３側の器底壁１５には、図１５に矢印で示す範囲に、器底壁１５に連続して起泡部Ｆへ向かって下り傾斜する泡還流壁８８が設けられている。さらに、起泡部Ｆに臨む器周囲壁１６と器底壁１５に接触しているブラシ体２０は、泡生成部４の左右中央に保持されており、しかも、断面円形に形成したブラシ束６１の半径が、凹曲面状の器底壁１５の湾曲面の曲率半径より小さく設定されているため、ブラシ束６１の右半周面と器周囲壁１６との間に、空気の導入を促す空気導入隙間８９が形成される（図１６参照）。この状態のブラシ体２０を、図１６に矢印Ｓで示すように、起泡部Ｆと正対する側から見て時計回転方向へ回転駆動することにより、ブラシ束６１に圧力が作用する状態で発泡要素を発泡させることができ、さらに、ブラシ先端部７７とブラシ軸部７６の一部を泡立リブ１７に衝突させて、泡塊を繰返し撹拌することができる。
【０１０８】
詳しくは、ブラシ先端部７７は起泡部Ｆに臨んで隣接する泡立リブ１７を、弾性変形しながら次々に乗り越え、その間にブラシ束６１の先端を大きく弾性変形させ、しかも泡立リブ１７を乗越えるごとにブラシ束６１を躍動させて、発泡要素に強い圧力を加えながら発泡要素をさらに効果的に発泡できる。さらに、ブラシ束６１が弾性変形する間に、周囲の空気を取込みながら泡塊を生成することができる。従って、泡立リブ１７を備えていない泡生成部４に比べて、泡塊の生成と泡の細分化とをさらに効果的に行うことができる。このとき、図１６に向かって右半分側のブラシの周囲においては、ブラシ束６１に付着した泡が、泡立リブ１７や器周囲壁１６および器底壁１５に押付けられて揺さぶられ、空気が強制的に混入される。また、図１６に向かって左半分側のブラシの周囲においては、生成された泡塊がブラシ体２０の回転力を受けて周囲に跳ね飛ばされ、起泡部Ｆに臨む器周囲壁１６で受止められて、同壁１６に沿って器底壁１５へと流れ落ちる。このように、左半分側の器周囲壁１６は泡流下壁９０として機能している。
【０１０９】
泡立モードにおいては、起泡部Ｆに臨む器底壁１５の断面形状が、凹曲面状の湾曲面で形成してあるので、起泡部Ｆと接触するブラシ束６１の周面と器底壁１５との間に形成される空気導入隙間８９の周辺の空気を、ブラシ束６１で巻込んで起泡部Ｆへと送り込むことができる。つまり、空気導入隙間８９を設けることで、ブラシ束６１で生成された泡塊と空気とを空気導入隙間８９から同時に取込んで、ブラシ束６１と器底壁１５の間に巻込むことができるので、泡塊の生成と泡の細分化とをさらに効果的に行うことができる。
【０１１０】
さらに、断面円形に形成したブラシ束６１の半径が、凹曲面状の器底壁１５の湾曲面の曲率半径より小さく設定してあるので、器周囲壁１６と、ブラシ束６１の左右周面との間に自由空間が形成され、自由空間を通過するブラシ束６１によって空気を効率よく巻込むことができるので、泡塊と空気の撹拌とを繰返し行って、弾力に富む肌理の細かなムース状の泡塊を生成することができる。
【０１１１】
泡塊の生成量が増加するのに伴って、泡塊の一部は図１６に向かって右半分側の空気導入隙間８９を介して泡還流壁８８の側へ流動する。しかし、泡還流壁８８を含む器底壁１５の全体が、起泡部Ｆへ向かって下り傾斜されているため、ブラシ体２０と泡還流壁８８の間に位置する泡塊は、ブラシ束６１の先端へ向かって流動し、再びブラシ束６１で撹拌される。このように、泡を生成しながら泡塊をブラシ束６１で繰返し撹拌することにより、泡径が小さく肌理の細かな泡塊を効率よく生成できる。従って、回転ブラシを一定の速度で回転駆動して泡立を行う従来の泡発生装置に比べて、泡の生成と泡径の微細化とを効果的に行って、ムース状の泡塊を効率よく生成できる。
【０１１２】
先に説明したように、泡立モードの前半ではモーター２８を低速回転させ、泡立モードの後半ではモーター２８を高速回転させる。このように、モーター２８を低速回転させると、ブラシ束６１の保持凹部７８に付着させた洗浄剤と、ブラシ軸部７６に含ませた水とをよくなじませて、洗浄剤と水をブラシ軸部７６およびブラシ先端部７７に均等に含ませて泡をむらなく生成することができる。また、モーター２８を高速回転させることにより、より多くの空気を取込むことができるので泡塊を効果的に生成できる。さらに、泡塊をブラシ束６１で繰返し撹拌して、生成された泡の泡径を小さくし、その肌理を細かくすることができる。
【０１１３】
上記の実施例１では、泡立モードにおいてメインスイッチ２６をオン操作してブラシ体２０を低速および高速で回転駆動して泡立を行い、所定時間が経過したことをタイマーで検知して泡立モードを終了し、再度メインスイッチ２６をオン操作して肌洗浄モードへ移行して起振構造を作動させるようにしたがその必要はない。例えば、メインスイッチ２６のオン操作でブラシ体２０を一定速度で回転駆動して泡立モードとしたのち、ユーザーが泡立ち具合を目視で確認し、十分な量の泡塊が生成されたと判断した時点で、洗浄ブラシ２をホルダー３から取外し、ブラシ体２０を回転駆動した状態のままで、顔肌にブラシ束６１の周面をあてがって、泡塊の塗付と肌洗浄を並行して行うことができる。その場合には、タイマーおよび起振構造を省略することができる。なお、十分な量の泡塊が生成されたと判断した時点で、ユーザーがメインスイッチ２６を操作してモーター２８を停止し、その状態で洗浄ブラシ２をホルダー３から取外して、泡塊を顔肌に塗付することができる。泡塊を塗付したのち、再度メインスイッチ２６を操作して、モーター２８または起振構造を起動させた状態で顔肌の洗浄を行うようにしてもよい。
【０１１４】
（実施例２）  図１７は、実施例２に係るブラシ体２０のブラシ束６１を示す。このブラシ束６１は、断面楕円形に形成される点と、ブラシ先端部７７の保持凹部７８が省略される点で、先の実施例１と相違する。このブラシ束６１を固定保持する保持リング７５は楕円筒状に形成される。本実施例において、保持リング７５の内周面の水平方向の最大横幅Ｄ０は、該内周面で規定される楕円の長軸の長さに一致する。また、ブラシ軸部７６の軸周面（ブラシ束６１の周側面）の上端における横幅Ｄ１は、該軸周面の上端縁で規定される楕円の長軸の長さに一致する。他は実施例１と同じであるので、同じ部材に同じ符号を付して、その説明を省略する。以下の実施例においても同じとする。
【０１１５】
（実施例３）  図１８は、実施例３に係るブラシ体２０のブラシ束６１を示す。このブラシ束６１は、断面正方形（逆正四角錘台状）に形成される点と、ブラシ先端部７７が平坦に形成されて保持凹部７８が省略される点で、先の実施例１と相違する。このブラシ束６１を固定保持する保持リング７５は正四角筒状に形成される。本実施例において、保持リング７５の内周面の水平方向の最大横幅Ｄ０は、該内周面で規定される正方形の対角線の長さに一致する。また、ブラシ軸部７６の軸周面（ブラシ束６１の周側面）の上端における横幅Ｄ１は、該軸周面の上端縁で規定される正方形の対角線の長さに一致する。
【０１１６】
（実施例４）  図１９は、実施例４に係るブラシ体２０のブラシ束６１を示す。そこでは、実施例１のブラシ束６１と同様に、ブラシ軸部７６を逆円錐台状に形成するが、ブラシ先端の全体を部分球面状の凹曲面で形成して保持凹部７８とする点が異なる。この場合のブラシ先端部７７は、ブラシ軸部７６の上端の円弧縁となる。上記のように、保持凹部７８の容積を大きく設定すると、保持凹部７８の内部に保持される発泡剤や発泡要素の保持量を多様に変更できるので、発泡剤や発泡要素のメーカーの違いや、発泡特性の違いに対応することができる。また、泡立時にはブラシ先端部７７が弾性変形して、その内部に保持した発泡剤や発泡要素を包込んだ状態で、揺さぶりながら泡立リブ１７に衝突させるので、モーター２８が低速回転される泡立モードにおいて泡を速やかに生成できる。
【０１１７】
（実施例５）  図２０は実施例５に係る泡立容器１を示す。そこでは、スタンド５の一部の構造を変更して、ホルダー３のブラシ支持具１０に吊下げ支持したブラシ体２０の下方に、ブラシ体２０から落下する水滴を受止めるブラシ水受１０１を設けるようにした。詳しくは、ブラシ体２０と上下に正対するスタンド壁に、化粧カバー８０を収容するカバー収納部１８に代えてブラシ水受１０１を凹み形成した。このように、ブラシ水受１０１をスタンド５と一体に形成すると、ブラシ水受１０１を設けることに伴うコスト増を回避できる。本実施例においてカバー収納部１８は、例えばブラシ水受１０１と泡生成部４の間におけるスタンド５の壁面に配置することができる。
【０１１８】
（実施例６）  図２１は実施例６に係るブラシ体２０を示す。そこでは、実施例１の調整リング６３を省略して、ブラシベース６０をブラシ支持体６２と継手体６４で構成した。さらに、ブラシ束６１の下端部をブラシ支持体６２で固定保持して、ブラシ支持体６２が実施例１の保持リング７５を兼ねるようにした。ブラシ束６１の下端部は、ブラシ支持体６２の筒壁の内周面に接着固定されている。本実施例では、ブラシ束６１のブラシベース６０からの突出寸法Ｈと、ブラシ束６１の保持リング７５（ブラシ支持体６２）からの突出寸法Ｈ０とが一致する。本実施例のように、ブラシ支持体６２が保持リング７５を兼ねていると、保持リング７５を別途用意する必要がない分だけコストを削減することができる。
【０１１９】
（実施例７）  図２２は実施例７に係る洗浄ブラシ２を示す。そこでは、ブラシ体２０のブラシベース６０が、保持リング７５に加えて本体ケース２１を兼ねるようにした。すなわち、ブラシベース６０は、ブラシ束６１の下端部を固定保持する有底筒状のブラシ支持体６２（保持リング７５）と、ブラシ支持体６２の底壁から下向きに伸びる筒状のケース体８６と、ケース体８６の下端開口を塞ぐケース蓋８７とを備えている。ブラシ支持体６２の底壁とケース体８６とケース蓋８７とで囲まれる空間には、コイン型の電池２９、起振構造（ブラシ駆動構造）、および制御基板３１を含む電装品ユニットが収容されている。起振構造は、水平方向の振動を発生するコイン型のバイブレーター５７で構成されており、バイブレーター５７への給電状態を切換えるスイッチ２６は、ケース蓋８７の外面に配置されている。本実施例の洗浄ブラシ２は、ブラシベース６０（本体ケース２１）を手指でつかんで使用することができる。
【０１２０】
（実施例８）  図２３は実施例８に係る洗浄ブラシ２を示す。そこでは、本体ケース２１のグリップ部分の中心軸Ｑに対して、ブラシ体２０が装着される本体ケース２１の上端部を傾斜させて、ブラシ体２０の中心軸Ｐが本体ケース２１の中心軸Ｑに対して傾斜するようにした。本実施例において、本体ケース２１の上下高さ寸法Ｈ５は、本体ケース２１の中心軸Ｑに沿う同ケース２１の寸法であり、ブラシベース６０の上下高さ寸法Ｈ４と、ブラシ束６１のブラシベース６０からの突出寸法Ｈとは、ブラシ体２０の中心軸Ｐに沿うブラシベース６０あるいはブラシ束６１の突出部分の寸法であり、ブラシベース６０の横幅Ｄは、ブラシ体２０の中心軸Ｐと直交する方向におけるブラシベース６０の直径である。
【０１２１】
ブラシ束６１は断面円形に形成する必要はなく、断面長円状、断面楕円状、断面多角形状などであってもよい。ブラシ支持体６２における継手体６４と装着構造９３とは個別に設けてあってもよい。ブラシ支持具１０は、泡立容器１の周囲や、ホルダー３の下周面の任意位置に設けることができる。また、必要があればスタンド５にブラシ支持具１０を一体に形成することができ、例えば、ホルダー３とスタンド５との間に収納区画を設けて、そこにブラシ体２０を収納保管することができる。さらに、ブラシ体２０は、そのブラシ束６１が下向きになる状態で保管する必要はなく、斜め、あるいは横向きにした状態で保管することができる。
【符号の説明】
【０１２２】
１  泡立容器
２  洗浄ブラシ（撹拌体）
３  ホルダー
４  泡生成部
５  スタンド
８  ホルダー底壁
９  ホルダー側壁
１０  ブラシ支持具
１８  カバー収納部
２０  ブラシ体
２１  本体ケース
２６  スイッチ（メインスイッチ）
２８  モーター
３９  駆動軸
５１  バイブレーター（第１振動モーター）
６０  ブラシベース
６１  ブラシ束
６４  継手体
７５  保持リング
７６  ブラシ軸部
７７  ブラシ先端部
７８  凹部（保持凹部）
７９  把持部
８０  化粧カバー
８３  指掛片
８４  吊掛穴
８５  計量容器
９３  装着構造
１０１  ブラシ水受
【図１】
2015208485.tif 000003
【図２】
2015208485.tif 000004
【図３】
2015208485.tif 000005
【図４】
2015208485.tif 000006
【図５】
2015208485.tif 000007
【図６】
2015208485.tif 000008
【図７】
2015208485.tif 000009
【図８】
2015208485.tif 000010
【図９】
2015208485.tif 000011
【図１０】
2015208485.tif 000012
【図１１】
2015208485.tif 000013
【図１２】
2015208485.tif 000014
【図１３】
2015208485.tif 000015
【図１４】
2015208485.tif 000016
【図１５】
2015208485.tif 000017
【図１６】
2015208485.tif 000018
【図１７】
2015208485.tif 000019
【図１８】
2015208485.tif 000020
【図１９】
2015208485.tif 000021
【図２０】
2015208485.tif 000022
【図２１】
2015208485.tif 000023
【図２２】
2015208485.tif 000024
【図２３】
2015208485.tif 000025